(57)【要約】【課題】従来のウィンドウスクイジーは、窓ガラスを清掃する時あらかじめガラスの表面に水をつけて後、ウィンドウスクイジーを使用したが、それは必ず水分がいるからであり、水分がない状態で使用すればガラスにキズが付くからであり、特に雨天車で走行すると他車から、はねられた泥により、窓ガラスが汚れて見えにくくなった事による事故が多かったが、車内に水を用意する人は少なかった。【解決手段】Ｔ字形ウィンドウスクイジーの持ち手部分を、手押しポンプとして、ポンプの先端のオスネジ２に、上部の取り付けた穴を有し、下部にゴム板Ｂを取り付けた、アングル形器具３を、穴を有したメスネジのキャップＣで固定したて、キャップの先端に噴霧器Ａを取り付けることを特徴とした、手押しポンプ一体形ウィンドウスクイジーを提供する事で解決できる。【選択図】　　図１
2004008783.tif 000002
【特許請求の範囲】
【請求項１】
Ｔ字形のウィンドウスクイジーの持ち手部分を、手押しポンプと構成し、そのポンプの先端のオスネジ２に、上部をそのオスネジ２に合った大きさの穴を有してゴム板Ｂを取り付けたアングル形器具３を、穴を有したメスネジのキャップＣで固定した、ゴム板Ｂ付きアングル形器具３は、そのキャップＣから直角より角度が２５度から４５度前方に開く事を特徴とした、手押しポンプ一体形ウィンドウスクイジー。
【発明の詳細な説明】
【０００１】
【発明の属する技術分野】
従来一般的名称は、日本的に言えば窓拭きワイパーと言う。それをビル管理用といての正式な名称をウィンドウスクイジーと言う窓拭きの清掃用の器具であって、それは持ち手部分の柄と窓ガラスに接するゴム板部分が、一体と構成されたて手動でガラスについたゴミや水を取る器具に関する、技術分野の製品に属するものである。
【０００２】
【従来の技術】
従来の窓ガラスの手作業清掃道具として、縦にＩ字形に柄の持ち手部分とゴム板が付いていたウィンドウスクイジーと、柄の持ち手部分が縦とするならば、ゴム板が横に付いたＴ字形のウィンドウスクイジーがあった。その持ち手の柄は、アルミのパイプであったり、プラスッチクのパイプであったりして、丸棒を差し込む事が出来るがそれ以外単なる掘柄でしかなかった。他に、自動車のフロントウィンドウガラスの下部に固定して外部電動ポンプで車内のタンクの水が飛ぶ、モーター作動ワイパーがあった。しかし、車用に固定して作動するワイパーはゴム板を取り替える事は出来るが横側のサイドガラスを清掃する事は無理であり、叉その様な目的に作られた製品ではなく、車フロントガラスやリャーウィンドウガラスの下部に固定してモーターの力で動く物であり、水を飛ばす電動ポンプは別に作動するものであって、自動車に固定して使用する為に、持ち運び出来ない物であり、本製品とは別の製品技術分野である。
【０００３】
【発明が解決しようとする課題】
本発明は、従来の作業による窓ガラスの清掃用具として、ビル管理の専門用語であるウィンドウスクイジーと呼ばれる製品に関する器具であって、特に自動車や家庭のウィンドガラスの清掃用に開発した。従来のウィンドウスクイジーは、窓ガラスを清掃する時に、べつの容器に水を入れてタオルを濡らし軽く絞って、窓ガラスに水を付けてから、ウィンドウスクイジーのゴム板で、水や付着した汚れを掻きだし若しくはすくい出して清掃をしていたが、ウィンドウスクイジーのゴム板を窓ガラスに接する時は、必ず水分が必要であり、ガラス面をキズ付けない為である。
そのウィンドウスクイジーは、ビル管理用としては最近ではＴ字形の製品が主流となってきているが、持ち手部分の柄は単に前後に穴がつき通ったパイプ掘り管であり、２５年来少しも変わらない製品であり、材質は木からプラスチックに、またはブリキ板からステンレスやアルミ板に変化したが、機能は変化せず、ビル管理用としてプロが使用する特別なものであり、高価である事により清掃効果がありながら」世の中に広く使用されていなかった。特に素人が従来のウィンドウスクイジーを使用する時、水を窓ガラスの表面に付けないで使用すると、ガラスについた土ほこりでキズを付けることが多くあったが、それはウィンドウスクイジーの方法が一般化されてない為である。従来のウィンドウスクイジーをそのまま自動車用として使用する時、雨がやんで天気が良くなり近くに水がないままに清掃すると、車のウィンドガラスにキズが付いたり、水が　ない為サイドガラスの汚れによりサイドミラーが見えにくいまま走行し、大きな交通事故に遭遇することがあったし、外から見た目も悪かった。本発明はそのような従来のウィンドウスクイジーの欠点を解決する為になされた物である。
【０００４】
【課題を解決するための手段】
本発明は、Ｔ字形のウィンドウスクイジーの持ち手部分を、手押しポンプと構成し、そのポンプの先端のオスネジ２に、上部をそのオスネジ２に合った大きさの穴を有して下部にゴム板Ｂを取り付けたアングル形器具３を、穴を有したメスネジのキャップＣで固定した、ゴム板Ｂ付きアングル形器具３は、そのキャップＣから直角より角度が２５度から４５度前方に開く事を特徴とした、手押しポンプ一体形ウィンドウスクイジーである。
【０００５】
【発明の実施の形態】
以上、本発明の実施の形態を説明する。
ウィンドウスクイジーに必要な水を、スムーズに飛ばせるようにする為に、Ｔ字形のウィンドウスクイジーの持ち手部分を、手押しポンプと構成し、そのポンプの下部に位置して水の飛ぶ邪魔にならない形とした。
【０００６】
手押しポンプは吸入排出穴の方を先端に表し前方とも言い、手押しポンプ持ち手部分の外パイプ管のナット１０を後部と表し後方とも言い。
【０００７】
ウィンドウスクイジーの持ち手部分の手押しポンプは、Ｔ字形の縦Ｉの字に形成される。
【０００８】
ウィンドウスクイジーゴム板は、アルミ、ステンレスなどの金属板またはプラスチック板で巌着して取り付けるかビス止めして取り付けアングル形器具と形成する。
【０００９】
ウィンドウスクイジーゴム板有するアングル形器具は、Ｔ字形の横一の字に形成される。
【００１０】
実施例として、本発明は使用される手押しポンプは、断面側面図に示した通り、弁を有するシリンダー管５と、その弁を動かす弁押さえ棒８が外パイプ管６のネジ接合９で固定され、外パイプ管６と同位置と形勢して、シリンダー管５の外径と内径の中を同時同方行に同じだけ移動し作動する事により、機能していて、弁押え棒８が外パイプ管６の中にある事で、コンパクトなポンプであり、けして外部から弁が見えない構造の、手押しポンプ一体形ウィンドウスクイジーである。
【００１１】
実施例として、本発明は使用される手押しポンプは、注射器形の大きな持ち手部分のない手押しポンプを使用しても同じ効果はあるし、注射器も吸入排出が直接出来る手押しポンプである。
【００１２】
実施例として、水を散水するために、手押しポンプの先端のオスネジに取り付けた、穴を有したメスネジのキャップＣの前に噴霧器Ａを取り付けても良いし、またそれは使用しない時のポンプの水を止める効果もあるが、噴霧器の形は通常三角形となっているが、キャップ一体とするならば丸形にしても善い物であるが、本発明は噴霧器の発明ではないので、その構造を細かく記する事を除く。
【００１３】
本発明は、以上のような構造と機能を持っているので、使用に於いて、まず、手押しポンプを水の入った容器に浸し、手押しポンプを引く事によりポンプ打ちに水を入れて、車のサイドガラスの正面より３０センチ後方より押して作動し、ポンプの先端のキャップの小さい穴若しくはキャップ一体として取り付けた噴霧器によって散水して、ガラスに水気を与えて、手押しポンプと一体と成したるゴム板の部分で、ゴミや汚れと一体となった水を、すくい取り摂り除く事により
素早く清掃出来る、手押しポンプ一体形ウィンドウスクイジーである。
【００１４】
キャップ１を直接噴霧器と形成し機能する時は、ゴム付きアングル器具の保持として細かいリングのナットを利用しても善いし、器具の穴自体タップネジを立ててもよいし、図示のごとくキャップの外径に縦溝を入れてやれば、指が滑らずよく締めることが出来る。
【００１５】
実施例として、使用されるポンプは図面に於いては丸形管パイプと示しているが、角形管パイプとしても同じ効果機能を持つ事が出来る。
【００１６】
【発明の効果】
本発明は、Ｔ字形ウィンドウスクイジーの持ち手部分を、手押しポンプと構成し事により、従来のウィンドウスクイジーのように、別に水の入った容器にその都度タオルなどでガラスに水をやる必要もなく、雨天により自動車のサイドガラスが汚れにより見えにくい事で、起こりうる交通事故を素早く清掃出来ることで防ぎ、運転者にとって心強い携帯自動車用ウィンドウスクイジーである。また、Ｔ字形なので、ゴム板は水の飛ぶさまたげにならず、スムーズに飛ぶ。
【図面の簡単な説明】
【図１】本発明の断面側面図
【図２】本発明の斜視図
【符号の説明】
１　穴
２　オスネジ
３　ゴム板付きアングル器具
４　滑り止め凸部分
５　シリンダー管
６　外パイプ管
７　弁
８　弁押し棒
９　ネジ接合
１０　ナット
Ａ　噴霧器
Ｂ　ゴム板
Ｃ　穴を有するメスネジのキャップ
Ｄ　空気逃がし穴
Ｅ　空気逃がし穴
【図１】
2004008783.tif 000003
【図２】
2004008783.tif 000004
【手続補正書】
【提出日】平成14年7月30日(2002.7.30)
【手続補正１】
【補正対象書類名】明細書
【補正対象項目名】０００２
【補正方法】変更
【補正の内容】
【０００２】
【従来の技術】
従来の窓ガラスの手作業清掃道具として、縦にＩ字形に柄の持ち手部分とゴム板が付いていたウィンドウスクイジーと、柄の持ち手部分が縦とするならば、ゴム板が横に付いたＴ字形のウィンドウスクイジーがあった。その持ち手の柄は、アルミのパイプであったり、プラスッチクのパイプであったりして、丸棒を差し込む事が出来るがそれ以外単なる握り柄でしかなかった。他に、自動車のフロントウィンドウガラスの下部に固定して外部電動ポンプで車内のタンクの水が飛ぶ、モーター作動ワイパーがあった。しかし、車用に固定して作動するワイパーはゴム板を取り替える事は出来るが横側のサイドガラスを清掃する事は無理であり、叉その様な目的に作られた製品ではなく、車フロントガラスやリャーウィンドウガラスの下部に固定してモーターの力で動く物であり、水を飛ばす電動ポンプは別に作動するものであって、自動車に固定して使用する為に、持ち運び出来ない物であり、本製品とは別の製品技術分野である。


【手続補正２】
【補正対象書類名】明細書
【補正対象項目名】０００３
【補正方法】変更
【補正の内容】
【０００３】
【発明が解決しようとする課題】
本発明は、従来の手作業による窓ガラスの清掃用具として、ビル管理の専門用語であるウィンドウスクイジーと呼ばれる製品に関する器具であって、特に自動車や家庭のウィンドウガラスの清掃用に開発した。従来のウィンドウスクイジーは、窓ガラスを清掃する時に、べつの容器に水を入れてタオルを濡らし軽く絞って、窓ガラスに水を付けてから、ウィンドウスクイジーのゴム板で、水や付着した汚れを掻きだし若しくはすくい出して清掃をしていたが、ウィンドウスクイジーのゴム板を窓ガラスに接する時は、必ず水分が必要であり、ガラス面をキズ付けない為である。
そのウィンドウスクイジーは、ビル管理用としては最近ではＴ字形の製品が主流となってきているが、持ち手部分の柄は単に前後に穴がつき通ったパイプ管であり、２５年来少しも変わらない製品であり、材質は木からプラスチックに、またはブリキ板からステンレスやアルミ板に変化したが、機能は変化せず、ビル管理用としてプロが使用する特別なものであり、高価である事により清掃効果がありながら世の中に広く使用されていなかった。特に素人が従来のウィンドウスクイジーを使用する時、水を窓ガラスの表面に付けないで使用すると、ガラスについた土ほこりでキズを付けることが多くあったが、それはウィンドウスクイジーの方法が一般化されてない為である。従来のウィンドウスクイジーをそのまま自動車用として使用する時、雨がやんで天気が良くなり近くに水がないままに清掃すると、車のウィンドウガラスにキズが付いたり、ガラスの汚れによりサイドミラーが見えにくいまま走行し、大きな交通事故に遭遇することがあったし、外から見た目も悪かった。本発明はそのような従来のウィンドウスクイジーの欠点を解決する為になされた物である。


【手続補正３】
【補正対象書類名】明細書
【補正対象項目名】０００６
【補正方法】変更
【補正の内容】
【０００６】手押しポンプは吸入排出穴の方を先端に表し前方とも言い、手押しポンプ持ち手部分の外パイプ管のナット１０を後部と表し後方とも言う。


【手続補正４】
【補正対象書類名】明細書
【補正対象項目名】００１０
【補正方法】変更
【補正の内容】
【００１０】
実施例として、本発明に使用される手押しポンプは、断面側面図に示した通り、弁を有するシリンダー管５と、その弁を動かす弁押し棒８が外パイプ管６のネジ接合９で固定され、外パイプ管６と同位置と形成して、シリンダー管５の外径と内径の中を同時同方行に同じだけ移動し作動する事により、機能していて、弁押し棒８が外パイプ管６の中にある事で、コンパクトなポンプであり、けして外部から弁が見えない構造の、手押しポンプ一体形ウィンドウスクイジーである。


【手続補正５】
【補正対象書類名】明細書
【補正対象項目名】００１３
【補正方法】変更
【補正の内容】
【００１３】
本発明は、以上のような構造と機能を持っているので、使用に於いて、まず、手押しポンプを水の入った容器に浸し、手押しポンプを引く事によりポンプ内に水を入れて、車のサイドガラスの正面、３０センチ後方から押して作動し、ポンプの先端のキャップの小さい穴若しくはキャップ一体として取り付けた噴霧器によって散水して、ガラスに水気を与えて、手押しポンプと一体と成したるゴム板の部分で、ゴミや汚れと一体となった水を、すくい取り除く事により素早く清掃出来る、手押しポンプ一体形ウィンドウスクイジーである。


【手続補正６】
【補正対象書類名】明細書
【補正対象項目名】００１４
【補正方法】変更
【補正の内容】
【００１４】
キャップ１を直接噴霧器と形成し機能する時には、オスネジ２は小さく細く形成してもよいし、ゴム付きアングル器具の保持として、小さく細いリング状のナットを利用しても善いし、アングル器具の取り付け穴自体、タップネジを立ててもよいし、図示のごとくキャップの外径に縦溝を入れてやれば、指が滑らずよく締めることが出来る。


【手続補正７】
【補正対象書類名】明細書
【補正対象項目名】００１６
【補正方法】変更
【補正の内容】
【００１６】
【発明の効果】
本発明は、Ｔ字形ウィンドウスクイジーの持ち手部分を、手押しポンプと構成した事により、従来のウィンドウスクイジーのように、別に水の入った容器にその都度タオルなどでガラスに水をやる必要もなく、雨天により自動車のガラスが汚れにより見えにくい事で、起こりうる交通事故を素早く清掃出来ることで防ぎ、運転者にとって心強い携帯自動車用ウィンドウスクイジーである。また、Ｔ字形なので、ゴム板は水の飛ぶさまたげにならず、スムーズに飛ぶ。